(57)【要約】【目的】商店などで用いられる各種小物品の陳列用棚部材に効率的に小物品を陳列させるに適した物品陳列ケースの保持部材および該保持部材を利用した物品陳列ケースを提案する。【構成】紙やプラスチックなどの軽量板材料を利用した部材１であって、各種小物商品などの物品を陳列する棚部材の水平方向バーとして用いられる方形バー３の方形形状に適合する方形切込み４をフック部４ａとして形成していることで水平方向の方形バー３に対する安定した取付け関係が実現され、別体である物品陳列ケース２に対する接続部５が形成されている。【選択図】        図２
2005058286.tif 000002
【特許請求の範囲】
【請求項１】
紙やプラスチックなどの軽量板材料を利用した部材であって、各種小物商品などの物品を陳列する棚部材の水平方向バーとして用いられる方形バーの方形形状に適合する方形切込みをフック部として形成していることで水平方向の方形バーに対する安定した取付け関係が実現され、別体である物品陳列ケースに対する接続部が形成されていることを特徴とする物品陳列ケース保持部材。
【請求項２】
紙やプラスチックなどの軽量板材料を利用した部材であって、各種小物商品などの物品を陳列する棚部材の水平方向バーとして用いられる方形バーの方形形状に適合する方形切込みをフック部として形成している物品陳列ケース保持部材と物品陳列ケースの構成部材とを組合わせることで水平方向の方形バーに対する安定した取付け関係が実現されることを特徴とする物品陳列ケース保持部材を用いた物品陳列ケース。
【請求項３】
物品陳列ケースが陳列物品吊下げ用フック、及び／又は、広告表示部を備えたものであることを特徴とする請求項２に記載の物品陳列ケース保持部材を用いた物品陳列ケース。
【請求項４】
物品陳列ケースが方形バーの上側に載置されるものであることを特徴とする請求項２又は請求項３に記載の物品陳列ケース保持部材を用いた物品陳列ケース。
【発明の詳細な説明】
【０００１】
【発明の属する技術分野】
本発明は、商店などで用いられる各種小物品の陳列用棚部材に効率的に小物品を陳列させるに適した物品陳列ケースの保持部材および該保持部材を利用した物品陳列ケースを提案するものである。
【０００２】
【従来の技術】
現在広く全国的に展開しているコンビニエンスストアーなどで各種商品を陳列する際には、多段式の陳列棚などを用いこれを適宜に区分して多種類の商品を見易く整理して陳列することが行なわれている。
【０００３】
また、小物品的なものは適宜に陳列棚に取付けられた吊下げフックを利用して複数個をまとめて陳列するようなことが行なわれている。
【０００４】
【発明が解決しようとする課題】
しかし、上記したような従来の技術では各商品を箱などの陳列用ケースに収容した状態で陳列棚に並べようとする際に、陳列用ケース自体が棚から落下等しないように何らかの固定手段を採用する必要があるが、シンプル且つ確実な固定手段は存在していない。
【０００５】
したがって、商品陳列用ケースそのものを商品についての広告表示媒体として利用しながら陳列展示することが可能であるにもかかわらず、このような形態でコンビニエンスストアーの商品陳列棚に商品を展示・陳列することはあまり行なわれていない。
【０００６】
また、コンビニエンスストアー等で用いられる商品陳列棚には略定型・定サイズの金属製方形バーが水平方向に使用されているが、これに対しては方形形状を利用して小物商品の吊下げフックを取付けることに利用するのみで、吊下げフックによる商品陳列に適さない商品について有効に利用することはできていない。
【０００７】
さらに、多様な商品を箱状やかご状の陳列ケースに収容した状態で商品に関する広告等を同時に行ないながら、顧客の視線を惹く形態で、商品陳列棚の水平方形バーを利用して簡単且つ確実に商品陳列することが望ましいが、このようなことは従来技術によっては実現できていなかった。
【０００８】
【課題を解決するための手段】
本発明は、上記したような従来技術における課題を解消することについて、実験と検討を繰り返し行い創案されたものであって、コンビニエンスストアー等で広く用いられる商品陳列棚の水平方向金属性方形バーの形状を利用してシンプル且つ確実に商品陳列ケースを保持することができる保持部材とこれを用いた商品陳列ケースを提案するものであって、具体的には以下の如くである。
【０００９】
（１）  紙やプラスチックなどの軽量板材料を利用した部材であって、各種小物商品などの物品を陳列する棚部材の水平方向バーとして用いられる方形バーの方形形状に適合する方形切込みをフック部として形成していることで水平方向の方形バーに対する安定した取付け関係が実現され、別体である物品陳列ケースに対する接続部が形成されていることを特徴とする物品陳列ケース保持部材。
【００１０】
（２）  紙やプラスチックなどの軽量板材料を利用した部材であって、各種小物商品などの物品を陳列する棚部材の水平方向バーとして用いられる方形バーの方形形状に適合する方形切込みをフック部として形成している物品陳列ケース保持部材と物品陳列ケースの構成部材とを組合わせることで水平方向の方形バーに対する安定した取付け関係が実現されることを特徴とする物品陳列ケース保持部材を用いた物品陳列ケース。
【００１１】
（３）  物品陳列ケースが陳列物品吊下げ用フック、及び／又は、広告表示部を備えたものであることを特徴とする前記（２）項に記載の物品陳列ケース保持部材を用いた物品陳列ケース。
【００１２】
（４）  物品陳列ケースが方形バーの上側に載置されるものであることを特徴とする前記（２）項又は（３）項に記載の物品陳列ケース保持部材を用いた物品陳列ケース。
【００１３】
【作用】
紙やプラスチックなどの軽量板材料を利用した部材であって、各種小物商品などの物品を陳列する棚部材の水平方向バーとして用いられる方形バーの方形形状に適合する方形切込みをフック部として形成していることで、該形状を利用して水平方向の方形バーに対する安定した取付け関係が実現され、また、別体である物品陳列ケースに対する接続部が形成されていることで、様々な形状の物品陳列ケースを適宜に保持して物品陳列用の棚部材の水平方向バーに対する適切な取付け関係を形成することができる。
【００１４】
紙やプラスチックなどの軽量板材料を利用した部材であって、各種小物商品などの物品を陳列する棚部材の水平方向バーとして用いられる方形バーの方形形状に適合する方形切込みをフック部として形成している物品陳列ケース保持部材と物品陳列ケースの構成部材とを組合わせることで水平方向の方形バーに対する安定した取付け関係が実現されることで、従来は物品陳列用の棚部材に置くことができなかった形状やサイズの物品陳列ケースでも使用することが可能となる。
【００１５】
物品陳列ケースが陳列物品吊下げ用フック、及び／又は、広告表示部を備えたものであることで、物品陳列ケースそのものがその保持部材と一体化したものとなり、また、広告表示などのディスプレイ機能をも備えたものとして実現することが可能となる。
【００１６】
物品陳列ケースが方形バーの上側に載置されるものであることで、一般的には吊下げタイプのものであった方形バーに対するこの種物品陳列ケースの取付けが方形バーに対する載置タイプのものとなり、収容陳列される物品の位置が従来と異なるものとなるので、人目を惹く物品陳列が可能となる。
【００１７】
【発明の実施の形態】
上記した本発明の具体的な実施形態の若干例を添付図面に示すところにしたがって説明すると以下のとおりである。
すなわち、図１は本発明の物品陳列ケース保持部材１の１例を方形箱形状の物品陳列ケース２に組合わせて使用する場合について示している。
【００１８】
ここで、物品陳列ケース保持部材１はその素材として紙やプラスチックなどの軽量板材を利用する。金属その他の重量素材は取り扱いに不便であり、陳列棚に陳列する商品は数ヶ月に亘って継続的に陳列され続けることはなく、紙やプラスチックの板材によっても十分な強度が確保できるからである。
【００１９】
この物品陳列ケース保持部材１は、図２に示すように、商品陳列棚の部材である水平方向の方形バー３に対してのみ特化して用いるものであり、方形バー３の方形形状に適合する方形切込み４をフック部４ａとして形成している。また、物品陳列ケース保持部材１には物品陳列ケース２と適切な組合わせ関係を形成するために接続部５が設けられており、適宜な接着手段（接着剤や接着テープなど）により接着して一体化される。
【００２０】
図示のような箱型の物品陳列ケース２を方形バー３に対して適切に取付けるためには、物品陳列ケース２の左右両側に本発明の保持部材１をその切込み部４（フック部４ａ）が相互の位置にずれを生じないように注意して取付ける必要がある。このようにして準備された物品陳列ケース２は保持部材１のフック部４ａを利用して方形バー３に対してしっかりと取付けられることになり、単なる商品陳列棚では陳列できないような商品群などであっても任意に適切な陳列状態を実現することができる。
【００２１】
本発明の物品陳列ケース保持部材１を用いれば色々なサイズの箱型物品陳列ケース２に対しても適当な接着手段によって一体化させることができるので、物品陳列ケース２の大きさに左右されずに商品陳列棚の水平方向の方形バー３を利用した安定的な取付け関係を実現することができる。例えば、商品の梱包・運搬用の箱などであってその大きさが多様なものであっても、表面に好ましい装飾や広告表示がなされているような場合には、そのまま陳列ケース２として使用し、本発明の保持部材１によって水平方向方形バーに安定的に取付けておくことができる。
【００２２】
また、コンビニエンスストアーなどの商品陳列棚において多種類の商品を整理して必要十分な個数を揃えておくのは商品サイズや形状が多種多様なことから困難なことがあるが、このように商品の特徴に合った物品陳列ケース２を任意に選択して整理した商品陳列が実現されればスペース効率的にも優れるなど利点は多いものである。
【００２３】
図２は、本発明による物品陳列ケース保持部材１と物品陳列ケース２を組合わせて商品陳列棚の水平方向の方形バー３に取付ける場合において、収容・陳列する商品などに関する広告等の表示部６を備えさせた場合の１例を示したものである。この広告等表示部６において商品等に関する情報その他を表示して購入者などの注意を喚起させるものである。
【００２４】
このような広告等表示部６も含めて一体化されて本発明の保持部材１を用いて水平方向の方形バー３に安定した取付けが実現されるので、従来のように別体の広告表示部材を不安定に商品陳列棚に置いたり、特別な取付手段によって取付けておくというような手間が必要なくなる。また、図示では物品陳列ケース２に広告等表示部６を取付ける場合について示しているが、本発明の保持部材１に対して広告等表示部６を取付けるものとしても良い。
【００２５】
また、本発明の保持部材１は初めから物品陳列ケース２と一体化したものとして組立て利用することも可能である。すなわち、図３はこのような場合の１例を示すもので、物品陳列ケース２の構成部材の一つとして本発明の保持部材１が存在しているものであり、これらの構成部材を組立てることで図示のような保持部材１と一体化した物品陳列ケース２が作成されるようになっている。
【００２６】
もちろん、この場合には収容・陳列する商品の大きさや形状、個数を考えて組立後の物品陳列ケース２が適切なものとなるように各構成部材の形状や大きさを設計し、必要に応じて複数種類のものを準備しておくことが好ましい。
また、図３のものにおいては、吊下げ陳列に適した包装をされている商品を収容・陳列するのに相応しいように商品陳列用の吊下げフック７をも備えた場合について示している。このような吊下げフック７は必要に応じて備えるものとすればよいが、吊下げ陳列を前提とした商品の場合にはこの吊下げフック７を利用する方が合理的であり、また、単独の吊下げフック７によって商品陳列を行うよりも本発明の物品陳列ケース２を利用する方がより整理区分けした商品陳列を行うことができ、商品説明等も上記した広告等表示部６と組合わせることでより便利に行うことができるようになる。
【００２７】
図４は、さらに別の本発明の実施形態に関する１例である。すなわち、上記した吊下げフック７による陳列に相応しい商品群を商品陳列棚の水平方向の方形バー３を利用して効率的に陳列するために用いるもので、方形バー３に対する保持部材１と物品陳列ボード２ａとを組合わせることを提案するものである。
【００２８】
つまり、この物品陳列ボード２ａには複数個の吊下げフック７を取付けておくことができるので、吊下げフック７を利用した吊下げ陳列に相応しい各種商品を複数種類あるいは通常よりも多数個であってもスペース効率よく商品陳列することが可能となるものである。
【００２９】
また、この物品陳列ボード２ａの余白部分は、これも上記したような広告等表示部６として利用することが可能である。すなわち、従来の単独的使用のみの吊下げフック７では単一の商品を吊下げ陳列するのみで、その陳列商品に関する広告情報等を示すには別の部材を近傍に配置するなどの方法しかなかったが、図示の如き物品陳列ボード２ａを利用すればこの点からも合理的な商品陳列が可能となるものである。
【００３０】
さらに、図４（ｂ）に示すように、本発明の保持部材１はスタンド機能を併せ持つものとして構成することができる。このようなスタンド兼用保持部材１ａを用いる場合には、商品陳列棚の水平方向の方形バー３を利用せずに水平状態の陳列棚自体を用いて物品陳列ボード２ａを設置して吊下げ陳列に適した商品群を適宜に陳列することが可能となる。
【００３１】
また、本発明の保持部材１を応用した物品陳列ケース２は上記してきたような商品陳列棚の水平方向の方形バー３に対して引掛けて吊下げる形式のものばかりではなく、方形バー３の上側に載置するものとして実現することもできる。すなわち、図５はそのような載置タイプの物品陳列ケース２ｂの１例を示したものである。
【００３２】
つまり、方形バー３の方形形状と適合するものとして調整された切込み部４（フック部４ａ）を利用して物品陳列ケース２ｂは商品陳列棚の水平方向の方形バー３上に載置されるものであるが、切込み部４（フック部４ａ）を利用した保持関係は確実且つ安定したものなので、このような載置タイプであっても各種商品を陳列するために確実に使用することができる。
【００３３】
このような方形バー３に載置するタイプの物品陳列ケース２ｂの形状やサイズに関しては、本発明の使用目的を阻害しない範囲で種々に選択することができ、また、広告表示部６や吊下げフック７と組合わせて多様な商品群に対して合理的且つ便利な商品陳列を行わしめることが可能である。
【００３４】
また、上記してきた本発明の保持部材１や物品陳列ケース２などは何れも基本的に紙素材の板材を利用して作成するものとしており、軽量且つ作成コストも低く抑えることができるが、さらにこの紙素材を用いる場合にはリサイクル性にも優れたものとなることに留意されるべきである。このような紙素材による場合でも、コンビニエンスストアーのような店舗の商品陳列棚に用いる場合には各商品の一般的な陳列期間中において十分な耐久性のあることは前述したとおりであり、本発明の合理性・優位性は明らかなものである。
【００３５】
【発明の効果】
以上説明したような本発明によるならば、商品陳列棚に一般的に採用されている水平方向の方形バーに対する適切な取付けが可能な保持部材とそれに組合わせて用いる物品陳列ケースを紙製板材のような適宜な素材で形成することで各種商品の店舗内における陳列を合理化し、スペース効率も向上するものであり、しかも低コストでリサイクル性にも優れたものとして提案できるものでるから、店舗における商品陳列用部材として広く普及する可能性を秘めたものであり、工業的にその価値の高い発明である。
【図面の簡単な説明】
【図１】本発明の物品陳列ケース保持部材の１例を方形箱形状の物品陳列ケースに組合わせて使用する場合について示した説明図である。
【図２】本発明による物品陳列ケース保持部材と物品陳列ケースを組合わせて商品陳列棚の水平方向の方形バーに取付ける場合において広告等の表示部を備えさせた場合の１例を示した説明図である。
【図３】本発明の保持部材を初めから物品陳列ケース２一体化したものとして組立て利用する場合の１例を示した説明図である。
【図４】本発明による実施形態の別の例について示した説明図である。
【図５】載置タイプの物品陳列ケースを採用する場合について示した説明図である。
【符号の説明】
１    本発明の物品陳列ケース保持部材
１ａ    スタンド兼用の物品陳列ケース保持部材
２  物品陳列ケース
２ａ    物品陳列ボード
２ｂ  載置タイプの物品陳列ケース
３  商品陳列棚の水平方向の方形バー
４  切込み部
４ａ    フック部
５  接続部
６  広告表示部
７  商品吊下げフック
【図１】
2005058286.tif 000003
【図２】
2005058286.tif 000004
【図３】
2005058286.tif 000005
【図４】
2005058286.tif 000006
【図５】
2005058286.tif 000007